(57)【特許請求の範囲】
【請求項１】
生ごみ処理装置において、
上面に生ごみ投入口が形成された筐体と、
前記生ごみ投入口を介して引き込まれた生ごみが集められ、周部の下部及び底部に複数の排水孔が形成される内部チャンバと、
前記内部チャンバの内部に備えられ、生ごみを攪拌する攪拌部と、
前記内部チャンバの外部に位置する外部チャンバと、
前記攪拌部及び内部チャンバを回転させる回転駆動部と、
前記外部チャンバに集水された浸出水が外部に排出されるドレーン管と、
前記外部チャンバと内部チャンバとの間に位置し、上下方向に延びて形成された少なくとも１つ以上のブラシ部と、
前記ブラシ部と隣接した部分に位置し、前記内部チャンバの周部外部面に温水を吹き付ける垂直型洗浄パイプと、を含み、
前記内部チャンバは、
前記外部チャンバに集水された浸出水及びスラッジが前記ドレーン管へ排出されるよう、前記内部チャンバの下部に位置し、前記外部チャンバの底面に密着されている複数のスクレーパを含み、
前記内部チャンバ及び攪拌部は前記回転駆動部によって互いに逆方向に回転される、生ごみ処理装置。
【請求項２】
前記攪拌部は、
回転軸と、
互いに離隔され、前記回転軸と垂直な方向に前記回転軸から延びて形成された複数の攪拌翼支持バーと、
前記攪拌翼支持バーそれぞれの端部に備えられた攪拌翼と、を含む、請求項１に記載の生ごみ処理装置。
【請求項３】
前記回転軸は、
その一端の外周面の周りに沿って備えられる少なくとも１つ以上の軸受、及び、その他端の外周面の周りに沿って備えられる少なくとも１つ以上の軸受を含む、請求項２に記載の生ごみ処理装置。
【請求項４】
前記回転駆動部は、
動力を提供するモータと、
前記攪拌部及び内部チャンバが連結される遊星歯車部と、
前記モータの動力を前記遊星歯車部に伝達するベルト部と、を含む、請求項１に記載の生ごみ処理装置。
【請求項５】
前記遊星歯車部は、
前記攪拌部の回転軸に連結されて回転力を伝達する太陽歯車と、
前記太陽歯車と噛み合う複数の第１の遊星歯車と、
前記第１の遊星歯車それぞれと噛み合う複数の第２の遊星歯車と、
前記第２の遊星歯車と噛み合い、内周縁に歯車が形成されたリングギアと、を含む、請求項４に記載の生ごみ処理装置。
【請求項６】
前記第１の遊星歯車または第２の遊星歯車に前記内部チャンバが連結され、前記太陽歯車に前記攪拌部が連結される、請求項５に記載の生ごみ処理装置。
【請求項７】
前記内部チャンバの上部に位置し、前記内部チャンバに温水を吹き付けて供給する少なくとも１つ以上のシャワーノズル部をさらに含む、請求項１に記載の生ごみ処理装置。
【請求項８】
前記外部チャンバは、
前記外部チャンバの内部面に固定され、前記内部チャンバの回転移動をガイドする少なくとも１つ以上のガイドローラを含む、請求項１に記載の生ごみ処理装置。
【請求項９】
前記外部チャンバの外周面に温度調節部を含み、
前記温度調節部は、
外部チャンバの外部面に巻かれているトレースヒータと、
前記トレースヒータと前記外部チャンバの外部面を囲む保温材と、を含む、請求項１に記載の生ごみ処理装置。
【請求項１０】
前記生ごみ投入口を開閉する開閉ドアと、
前記開閉ドアを駆動するドア駆動部とをさらに含み、
前記開閉ドアはスライディング移動して前記生ごみ投入口が開閉される、請求項１に記載の生ごみ処理装置。
【請求項１１】
前記内部チャンバに供給されて生ごみを分解する微生物または分解性物質が保存されたドラッグタンク部をさらに含む、請求項１に記載の生ごみ処理装置。
【請求項１２】
前記ドラッグ（ｄｒｕｇ）タンク部は、
微生物または分解性物質の水位を測定する水位センサを含む、請求項１１に記載の生ごみ処理装置。
【請求項１３】
前記筐体の外面に備えられ、多数の操作項目及び生ごみ処理装置の状態情報が表示されると共に、表示される操作項目の選択が可能な操作部をさらに含む、請求項１に記載の生ごみ処理装置。
【請求項１４】
前記操作部は、生ごみ処理装置の状態情報が外部サーバに送信または保存されるように表示する、請求項１３に記載の生ごみ処理装置。
【請求項１５】
前記生ごみ投入口は、
ホッパー状の投入ガイド部を含む、請求項１に記載の生ごみ処理装置。
【発明の詳細な説明】
【技術分野】
【０００１】
本発明は、生ごみ処理装置に関する。
【背景技術】
【０００２】
普遍的に、生ごみのような有機廃棄物は、動／植物性纎維質を始め、タンパク質と炭水化物及びカルシウムなどが多量に含有されているので、分解して消滅させずに埋め立てると、有機廃棄物から発生する抽出物が地中に流入され、地下水などを汚染させてしまう。そこで、生ごみ処理のために一般的に生ごみ処理装置が用いられる。
【０００３】
このような生ごみ処理装置に関し、特許文献１（韓国特許出願第１０−２００８−０００８４２１号）には「生ごみ消滅処理装置」が開示されている。
【先行技術文献】
【特許文献】
【０００４】
【特許文献１】韓国特許出願第１０−２００８−０００８４２１号
【発明の概要】
【発明が解決しようとする課題】
【０００５】
ところが、従来の生ごみ処理装置は、生ごみが過多に投入される場合、生ごみが円滑に攪拌できないという問題点があった。
【０００６】
また、従来の生ごみ処理装置は、生ごみの浸出水が排出される排水孔に固形のスラッジが形成され、時間の経過に伴って浸出水の排出が円滑にならないという問題点がある。
【０００７】
本願は、上述した従来技術の問題点を解決するためのものであり、生ごみの処理性能が向上した生ごみ処理装置を提供することを目的とする。
【課題を解決するための手段】
【０００８】
上記した技術的課題を解決するための技術的手段として、本願の一側面に係る生ごみ処理装置は、上面に生ごみ投入口が形成された筐体と、生ごみ投入口を介して引き込まれた生ごみが集められ、周部の下部及び底部に複数の排水孔が形成される内部チャンバと、内部チャンバの内部に備えられ、生ごみを攪拌する攪拌部と、内部チャンバの外部に位置する外部チャンバと、攪拌部及び内部チャンバを回転させる回転駆動部と、外部チャンバに集水された浸出水が外部に排出されるドレーン管と、外部チャンバと内部チャンバとの間に位置し、上下方向に延びて形成された少なくとも１つ以上のブラシ部と、ブラシ部と隣接した部分に位置し、内部チャンバの周部外部面に温水を吹き付ける垂直型洗浄パイプと、を含み、内部チャンバは、外部チャンバに集水された浸出水及びスラッジがドレーン管へ排出されるよう、内部チャンバの下部に位置し、外部チャンバの底面に密着されている複数のスクレーパを含み、内部チャンバ及び攪拌部は回転駆動部によって互いに逆方向に回転される。
【発明の効果】
【０００９】
上述した本願の課題を解決するための手段によれば、攪拌機と内部チャンバとが互いに逆方向に回転することによって、生ごみの攪拌効率を向上させ、処理性能を格段に向上させることができるという効果がある。
【００１０】
また、本生ごみ処理装置は、内部チャンバの周部及び底部に複数の排水孔が形成され、浸出水の排水性能及び粉砕消滅効果が大いに増大する効果がある。
【００１１】
また、本生ごみ処理装置は、ブラシ部及び高圧洗浄部を用い、浸出水が排出される排水孔を自動的に洗浄する効果がある。
【００１２】
さらに、本生ごみ処理装置は、外部チャンバに集められる排出水とスラッジを、スクレーパを用いて効果的に排出できる効果がある。
【図面の簡単な説明】
【００１３】
【図１】本発明の一実施例に係る生ごみ処理装置の正面図である。
【図２】本発明の一実施例に係る生ごみ処理装置の側面図である。
【図３】本発明の一実施例に係る内部チャンバの斜視図である。
【図４】本発明の一実施例に係る内部チャンバの断面図である。
【図５】本発明の一実施例に係る生ごみ処理装置の平面図である。
【図６】本発明の一実施例に係る攪拌機及び回転駆動部を説明するための図である。
【図７】本発明の一実施例に係る遊星歯車部を説明するための図である。
【図８】本発明の一実施例に係るドラッグタンク部の正面図である。
【図９】本発明の他の実施例に係る開閉ドアの側面図である。
【図１０】本発明の他の実施例に係る開閉ドアの平面図である。
【図１１】本発明の一実施例に係る外部チャンバの断面図である。
【発明を実施するための形態】
【００１４】
以下では、添付した図面を参照しながら、本願の属する技術分野において通常の知識を有する者が容易に実施できるように本願の実施例を詳しく説明する。ところが、本願は、様々な異なる形態で具現されることができ、ここで説明する実施例に限定されるものではない。そして、図面において、本願を明確に説明するために、説明とは関係ない部分は省略しており、明細書全体に亘って類似した部分に対しては類似した図面符号を付けている。
【００１５】
本願の明細書全体において、ある部分が他の部分と「連結」されているという場合、これは「直接的に連結」されている場合だけでなく、その中間に他の素子を介して「電気的に連結」されている場合も含む。
【００１６】
本願の明細書全体において、ある部材が他の部材の「上に」位置しているという場合、これは、ある部材が他の部材に接している場合だけでなく、両部材の間にまた他の部材が存在する場合も含む。
【００１７】
本願の明細書全体において、ある部分がある構成要素を「含む」という場合、これは、特に反対の記載がない限り、他の構成要素を除くのではなく、他の構成要素をさらに含み得ることを意味する。本願の明細書全体において使用される程度の用語「約」、「実質的に」などは、言及された意味に固有の製造及び物質許容誤差が提示される場合、その数値で、またはその数値に近接した意味として使用され、本願の理解を助けるために、適確であるか絶対的な数値が言及された開示内容を非良心的な侵害者が不当に用いることを防止するために使用される。本願の明細書全体において使用される程度の用語「〜（する）ステップ」または「〜のステップ」は、「〜のためのステップ」を意味していない。
【００１８】
本願は、生ごみ処理装置１０に関する。
【００１９】
図１は、本発明の一実施例に係る生ごみ処理装置の正面図であり、図２は、本発明の一実施例に係る生ごみ処理装置の側面図であり、図３は、本発明の一実施例に係る内部チャンバの斜視図であり、図４は、本発明の一実施例に係る内部チャンバの断面図であり、図５は、本発明の一実施例に係る生ごみ処理装置の平面図であり、図６は、本発明の一実施例に係る攪拌機及び回転駆動部を説明するための図であり、図７は、本発明の一実施例に係る遊星歯車部を説明するための図であり、図８は、本発明の一実施例に係るドラッグタンク部の正面図であり、図９は、本発明の他の実施例に係る開閉ドアの側面図であり、図９は、本発明の他の実施例に係る開閉ドアの平面図であり、図１１は、本発明の一実施例に係る外部チャンバの断面図である。
【００２０】
先ず、本願の一実施例に係る生ごみ処理装置１０（以下、「本生ごみ処理装置１０」という）について説明する。
【００２１】
図１及び図２を参照すると、本生ごみ処理装置１０は、筐体１００と、内部チャンバ２００と、攪拌部３００と、外部チャンバ４００と、回転駆動部５００とを含む。
【００２２】
筐体１００は、その上面に生ごみ投入口１１０が形成される。
【００２３】
また、生ごみ投入口１１０は、図２に示すように、ホッパー状の投入ガイド部１１１を含み、投入される生ごみが内部チャンバ２００に円滑に投入されることができる。
【００２４】
図１を参照すると、本生ごみ処理装置１０は、生ごみ投入口１１０を介して引き込まれた生ごみが集められる内部チャンバ２００を含む。
【００２５】
内部チャンバ２００は、上部が開放された所定の形状を有する形態で製作される。例えば、図１に示すように、内部チャンバ２００は円筒状に形成され得る。
【００２６】
内部チャンバ２００の下部には、生ごみが分解されながら発生する浸出水が排出される複数の排水孔２１０が形成される。
【００２７】
また、内部チャンバ２００は、攪拌部３００と逆方向に回転する。これにより、内部チャンバ２００に投入された生ごみは円滑に攪拌されることができる。これに関する詳細な説明は後述する。
【００２８】
本生ごみ処理装置１０は、内部チャンバ２００の内部に備えられ、生ごみを攪拌する攪拌部３００を含む。攪拌部３００に関する詳細な説明は後述する。
【００２９】
本生ごみ処理装置１０は、内部チャンバ２００の外部に位置する外部チャンバ４００を含む。例えば、外部チャンバ４００は、内部チャンバ２００と同様に円筒状に製作され得る。
【００３０】
外部チャンバ４００には、内部チャンバ２００の排水孔２１０を介して排出された浸出水が落下して集水される。また、図２を参照すると、外部チャンバ４００に集水された浸出水はドレーン管６２０を介して外部へ排出される。例えば、浸出水はＢＯＤ浄化装置などに排出され得る。
【００３１】
このように、生ごみの攪拌及び乾燥が完了した生ごみの残留物は、別の排出口または排出装置を介して筐体１００の外部へ排出され、植物栽培用の堆肥などに活用され得る。
【００３２】
回転駆動部５００は、攪拌部３００及び内部チャンバ２００を互いに逆方向に回転させる。これにより、本生ごみ処理装置１０は、内部チャンバ２００の内部に投入された生ごみの攪拌効果が増大することができる。
【００３３】
以下、図３及び図４を参照しながら、本発明の一実施例に係る内部チャンバ２００について説明する。
【００３４】
内部チャンバ２００は、上述したように、生ごみ投入口１１０を介して引き込まれた生ごみが集められる。
【００３５】
また、内部チャンバ２００には、周部の下部及び底部に複数の排水孔２１０が形成される。
【００３６】
詳しくは、内部チャンバ２００に投入された生ごみは、微生物または分解性物質によって分解される。また、このときに発生した浸出水は、内部チャンバ２００に形成された排水孔２１０を介して外部チャンバ４００へ排出される。
【００３７】
また、内部チャンバ２００は、外部チャンバ４００に集水された浸出水及びスラッジがドレーン管６２０へ排出されるよう、内部チャンバ２００の下部に位置するスクレーパ２２０を含む。
【００３８】
詳しくは、スクレーパ２２０は内部チャンバ２００の下部面に固定され、回転軸３１０周りに所定の角度を有するよう複数備えられる。
【００３９】
また、スクレーパ２２０は、内部チャンバ２００の回転に伴い、外部チャンバ４００の底面に密着し、外部チャンバ４００の下部に位置する浸出水及びスラッジをドレーン管６２０へ排出させる。
【００４０】
以下、図２及び図５を参照しながら、本発明の一実施例に係る外部チャンバ４００について説明する。
【００４１】
外部チャンバ４００は、上述したように、その内部に内部チャンバ２００が備えられ、内部チャンバ２００の排水孔２１０を介して排出された浸出水が集水される。例えば、外部チャンバ４００は、内部チャンバ２００と同様に円筒状であり得る。
【００４２】
また、外部チャンバ４００は、外部チャンバ４００と内部チャンバ２００との間に位置するブラシ部４１０と垂直型洗浄パイプ４２０とを含む。
【００４３】
ブラシ部４１０は、外部チャンバ４００と内部チャンバ２００との間に位置し、上下方向に延びて形成される。
【００４４】
ブラシ部４１０は、内部チャンバ２００の外部面に接触され、内部チャンバ２００の回転に伴い、内部チャンバ２００の外部面を掃除する。
【００４５】
例えば、図５に示すように、ブラシ部４１０は、外部チャンバ４００の内部面に上下方向に延びて形成されたブラシ固定部と、ブラシ固定部に挿入固定されるブラシとを含む。ここで、ブラシは、内部チャンバ２００の周面に形成された排水孔２１０と対応する位置に位置する。また、ブラシ部４１０は、回転軸３１０周りに１８０度間隔で各々配置され得るが、これに限定されるものではない。
【００４６】
垂直型洗浄パイプ４２０は、ブラシ部４１０と隣接した部分に位置し、内部チャンバ２００の周部外部面に温水を吹き付ける。
【００４７】
垂直型洗浄パイプ４２０は、ブラシ部４１０に温水を吹き付け、内部チャンバ２００の外部面の洗浄力を高める効果がある。
【００４８】
例えば、本生ごみ処理装置１０は、外部から水の供給を受ける水供給部１０１と、供給された水を加熱する水加熱部（未図示）とを含み、水加熱部から加熱された温水を垂直型洗浄パイプ４２０に供給する。
【００４９】
また、外部チャンバ４００は、外部チャンバ４００の内部面に固定され、内部チャンバ２００の回転移動をガイドする少なくとも１つ以上のガイドローラ４３０を含む。
【００５０】
ガイドローラ４３０は、回転軸３１０周りに所定の角度間隔で各々配置され、内部チャンバ２００の外部面に接触されて内部チャンバ２００の回転運動をガイドする。例えば、ガイドローラ４３０は、図５に示すように１２０度の間隔で各々配置され得るが、これに限定されるものではない。
【００５１】
図６及び図７を参照しながら、本発明の一実施例に係る攪拌部３００及び回転駆動部５００について説明する。
【００５２】
攪拌部３００は、回転軸３１０と、複数の攪拌翼支持バー３２０と、攪拌翼３３０とを含む。
【００５３】
回転軸３１０は、回転駆動部５００に連結されて回転する。
【００５４】
また、回転軸３１０は、その一端の外周面の周りに沿って備えられる少なくとも１つ以上の軸受３１１と、その他端の外周面の周りに沿って備えられる少なくとも１つ以上の軸受３１２とを含む。これにより、回転軸３１０の損傷が防止されることができる。
【００５５】
複数の攪拌翼支持バー３２０は、上下方向に互いに離隔され、回転軸３１０と垂直な方向に回転軸３１０から延びて形成される。
【００５６】
攪拌翼３３０は、攪拌翼支持バー３２０それぞれの端部に備えられる。
【００５７】
例えば、攪拌翼３３０は、締結部材によって攪拌翼支持バー３２０に備えられる。また、締結部材は、ボルトまたは鋳型に具現され得る。
【００５８】
本生ごみ処理装置１０は、攪拌翼支持バー３２０及び攪拌翼３３０の回転によって、生ごみが攪拌に伴って装置筐体１００内で一側に偏向される現象を防止することができる。
【００５９】
また、攪拌翼支持バー３２０及び攪拌翼３３０により攪拌及び乾燥した生ごみは、内部チャンバ２００内に投入された微生物及び分解性物質によって分解される。ここで、分解時に発生する浸出水は、排水孔２１０を介して外部チャンバ４００へ排出される。
【００６０】
回転駆動部５００は、モータ５１０と、遊星歯車部５２０と、ベルト部５３０とを含む。
【００６１】
モータ５１０は、攪拌部３００及び内部チャンバ２００が回転される動力を提供する。
【００６２】
ベルト部５３０は、モータ５１０の動力を遊星歯車部５２０に伝達する。
【００６３】
詳しくは、ベルト部５３０は、モータ５１０の回転軸に備えられる起動スプロケット５３１及び回転軸３１０の一端の外周に沿って備えられる連動スプロケット５３２を経由して配置される。これにより、モータ５１０が作動して起動スプロケット５３１が回転すれば、連動スプロケット５３２が回転する。連動スプロケット５３２が回転すれば、回転軸３１０が回転し、攪拌翼支持バー３２０及び攪拌翼３３０が回転する。
【００６４】
遊星歯車部５２０は、ベルト部５３０から動力を伝えられて攪拌部３００及び内部チャンバ２００を回転させる。
【００６５】
また、遊星歯車部５２０は、攪拌部３００と内部チャンバ２００とを互いに逆方向に回転させる。
【００６６】
そのために、遊星歯車部５２０は、図７を参照すると、攪拌部３００の回転軸３１０に連結されて回転力を伝達する太陽歯車５２１と、太陽歯車５２１と噛み合う複数の第１の遊星歯車５２２と、第１の遊星歯車５２２それぞれと噛み合う複数の第２の遊星歯車５２３と、第２の遊星歯車５２３と噛み合い、内周縁に歯車が形成されたリングギア５２４とを含む。
【００６７】
また、内部チャンバ２００は第１の遊星歯車５２２または第２の遊星歯車５２３に連結され、攪拌部３００の回転軸３１０は太陽歯車５２１に連結される。
【００６８】
例えば、太陽歯車５２１は、モータ５１０から動力を伝えられて時計回りに回転し、このとき、太陽歯車５２１に連結された回転軸３１０は時計回りに回転する。また、第１の遊星歯車５２２は太陽歯車５２１と噛み合って反時計回りに回転し、第２の遊星歯車５２３は第１の遊星歯車５２２と噛み合って時計回りに回転する。このとき、第１及び第２の遊星歯車５２２、５２３は反時計回りに移動され、第１の遊星歯車５２２または第２の遊星歯車５２３に連結された内部チャンバ２００は反時計回りに回転される。
【００６９】
これにより、内部チャンバ２００と回転軸３１０とは互いに逆方向に回転されることができる。
【００７０】
図１及び図８を参照すると、本生ごみ処理装置１０は、内部チャンバ２００に供給されて生ごみを分解する微生物または分解性物質が保存されたドラッグタンク部８００をさらに含む。また、ドラッグタンク部８００は、微生物または分解性物質の水位を測定する水位センサ８１０を含む。
【００７１】
例えば、水位センサ８１０は、ドラッグタンク部８００内部における微生物または分解性物質の水位が一定以下であることを感知する。このとき、筐体１００の外部面に設けられた操作部９００にアラームメッセージが表示される。
【００７２】
図１及び図９を参照しながら、本発明の他の実施例に係る開閉ドア１２０について説明する。
【００７３】
本生ごみ処理装置１０は、開閉ドア１２０と、開閉ドア１２０を駆動するドア駆動部１３０とを含む。
【００７４】
詳しくは、開閉ドア１２０は、ドア駆動部１３０によって自動的に開き駆動または閉じ駆動される。
【００７５】
開閉ドア１２０は、図１に示すように、ヒンジタイプであり得る。
【００７６】
また、開閉ドア１２０は、図９及び図１０に示すように、スライディングドアであり得る。
【００７７】
詳しくは、開閉ドア１２０がスライディング移動して生ごみ投入口１１０が開閉される。このとき、開閉ドア１２０の両側にはドアガイド部１４０が設けられ、スライディング移動をガイドする。例えば、開閉ドア１２０はＳＵＳ（Ｓｔｅａｌ  Ｕｓｅ  Ｓｔａｉｎｌｅｓｓ）であっても良く、ドアガイド部１４０はアセタール樹脂であっても良い。
【００７８】
図１を参照すると、本生ごみ処理装置１０は、少なくとも１つ以上のシャワーノズル部６１０をさらに含む。
【００７９】
シャワーノズル部６１０は、内部チャンバ２００の内部に温水を供給し、内部チャンバ２００内部で微生物活動及び消滅処理を助ける。
【００８０】
本生ごみ処理装置１０は、外部チャンバ４００内部の温度を調節する温度調節部７００をさらに含む。
【００８１】
図１１を参照すると、温度調節部７００は、外部チャンバ４００の外部面に巻かれているトレースヒータ７１０と、トレースヒータ７１０と外部チャンバ４００の外部面を囲む保温材７２０とを含む。
【００８２】
例えば、温度調節部７００は、外部の操作部９００を通じて温度を設定する。
【００８３】
図５を参照すると、本生ごみ処理装置１０は、筐体１００の外面に備えられ、多数の操作項目及び生ごみ処理装置１０の状態情報が表示されると共に、表示される操作項目の選択が可能な操作部９００をさらに含む。例えば、操作部９００は、タッチスクリーンであり得る。
【００８４】
操作部９００は、本生ごみ処理装置１０を自動駆動させるための項目と、全般的な駆動状態を示す項目と、各機能を試運転する項目と、駆動のパラメータをセッティングする項目と、アラームメッセージを確認する項目と、各機能を設定する項目とを示す。
【００８５】
例えば、ユーザは、各機能を設定する項目を選択し、内部チャンバ２００の温度を設定することができる。言い換えれば、内部チャンバ２００の温度が設定された温度以下に低い場合、温度調節部７００を用いて内部チャンバ２００の温度を高くすることができる。また、内部チャンバ２００の温度が設定された温度以上に高い場合、内部チャンバ２００内の微生物が作用できなくなる恐れがあるので、作動をしばらく中断することができる。
【００８６】
本生ごみ処理装置１０は、ネットワークを通じてその状態情報が外部サーバに収集される。
【００８７】
具体的に、収集される本生ごみ処理装置１０の状態情報としては、生ごみの投入量、生ごみの処理量、水使用量、電気使用量などのように、本生ごみ処理装置の全般的な状態情報が該当し得る。
【００８８】
また、本生ごみ処理装置１０の状態はネットワークを通じて遠隔モニタリングされ、遠隔調整され得る。
【００８９】
特に、米国のような国では、ユーザが本生ごみ処理装置１０をリースして使用することができ、このとき、本生ごみ処理装置１０により処理された生ごみの量が外部サーバに送信または保存され、送信または保存された情報により請求書が発行されてユーザに請求され得る。
【００９０】
また、上述したように、本生ごみ処理装置１０により処理される生ごみの量は一日、一週間及び一ヶ月単位で測定されることができるので、ユーザに対する費用請求は、一日、一週間及び一ヶ月単位の何れかの単位で行われ得る。
【００９１】
さらに、操作部９００は、生ごみ処理装置１０の状態情報が外部サーバに送信または保存されるように表示する。
【００９２】
上述した本願の説明は例示のためのものであり、本願の属する技術分野において通常の知識を有する者であれば、本願の技術的思想や必須の特徴を変更せずに他の具体的な形態で容易に変形可能であるということを理解できるはずである。それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【００９３】
本願の範囲は、上記の詳細な説明よりは後述する特許請求の範囲によって示され、特許請求の範囲の意味及び範囲、並びにその均等概念から導出される全ての変更または変形された形態が本願の範囲に含まれることと解釈されなければならない。
【符号の説明】
【００９４】
１０：生ごみ処理装置、１００：筐体、１１０：生ごみ投入口、１２０：開閉ドア、１３０：ドア駆動部、１４０：ドアガイド部、２００：内部チャンバ、２１０：排水孔、２２０：スクレーパ、２３０：軸受、３００：攪拌部、３１０：回転軸、３１１、３１２：軸受、３２０：攪拌翼支持バー、３３０：攪拌翼、４００：外部チャンバ、４１０：ブラシ部、４２０：垂直型洗浄パイプ、４３０：ガイドローラ、５００：回転駆動部、５１０：モータ、５２０：遊星歯車部、５２１：太陽歯車、５２２：第１の遊星歯車、５２３：第２の遊星歯車、５２４：リングギア、５３０：ベルト部、６１０：シャワーノズル部、６２０：ドレーン管、７００：温度調節部、７１０：トレースヒータ、７２０：保温材、
８００：ドラッグタンク部、８１０：水位センサ、９００：操作部。 
【図１】
0006373326.tif 000002
【図２】
0006373326.tif 000003
【図３】
0006373326.tif 000004
【図４】
0006373326.tif 000005
【図５】
0006373326.tif 000006
【図６】
0006373326.tif 000007
【図７】
0006373326.tif 000008
【図８】
0006373326.tif 000009
【図９】
0006373326.tif 000010
【図１０】
0006373326.tif 000011
【図１１】
0006373326.tif 000012